【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  ビデオコンテンツのデータが記録されている記録媒体であって、
一連の記録媒体毎に各記録媒体を一意に識別する媒体識別情報と、
リボークすべき記録媒体を、少なくとも前記媒体識別情報または当該媒体識別情報の真正性の保証に必要な識別メッセージで指示する媒体リボケーション・リストとが記録されている記録媒体。
【請求項２】  
前記識別メッセージが、前記媒体識別情報から一方向性の関数により得られる請求項１に記載の記録媒体。
【請求項３】  前記媒体識別情報が、一連の記録媒体毎に連続性を有し、かつ記録媒体毎に固有であり、
前記媒体リボケーション・リストが、リボークすべき記録媒体を指示するのに前記ビデオコンテンツのタイトル情報と前記識別メッセージとを用いる請求項１に記載の記録媒体。
【請求項４】  前記媒体識別情報が、一連の記録媒体毎に連続性を有しないで、かつ記録媒体毎に固有であり、
前記媒体リボケーション・リストが、リボークすべき記録媒体を指示するのに当該媒体識別情報を用いる請求項１に記載の記録媒体。
【請求項５】  前記媒体リボケーション・リストが、バージョン情報を有している請求項１に記載の記録媒体。
【請求項６】  不正な機器をリボークするためのデバイス・リボケーション・リストも記録されている請求項１に記載の記録媒体。
【請求項７】  ビデオコンテンツのデータが記録された記録媒体が製造される記録媒体製造方法であって、
前記ビデオコンテンツのデータを編集する編集ステップと、
リボークすべき記録媒体を、少なくとも一連の記録媒体毎に各記録媒体を一意に識別する媒体識別情報または当該媒体識別情報の真正性の保証に必要な識別メッセージで指示する媒体リボケーション・リストを記録する媒体リスト記録ステップと、
各媒体毎の媒体識別情報が前記ビデオコンテンツのデータが記録された領域の記録方法と異なる方法で記録する識別情報記録ステップとを有する記録媒体製造方法。
【請求項８】  前記識別メッセージは、前記媒体識別情報から一方向性の関数により得られる請求項７に記載の記録媒体製造方法。
【請求項９】  前記媒体識別情報が、一連の記録媒体毎に連続性を有し、かつ記録媒体毎に固有であり、
前記媒体リボケーション・リストが、リボークすべき記録媒体を指示するのに前記ビデオコンテンツのタイトル情報と前記識別メッセージとを用いる請求項７に記載の記録媒体製造方法。
【請求項１０】  前記媒体識別情報が、一連の記録媒体毎に連続性を有しないで、かつ記録媒体毎に固有であり、
前記媒体リボケーション・リストが、リボークすべき記録媒体を指示するのに当該媒体識別情報を用いる請求項７に記載の記録媒体製造方法。
【請求項１１】  前記媒体リボケーション・リストが、バージョン情報を有している請求項７に記載の記録媒体製造方法。
【請求項１２】  前記記録媒体に不正な機器をリボークするためのデバイス・リボケーション・リストも記録されている請求項７に記載の記録媒体製造方法。
【請求項１３】  ビデオコンテンツのデータが記録され、一連の記録媒体毎に各記録媒体を一意に識別する媒体識別情報と、リボークすべき記録媒体を、少なくとも前記媒体識別情報または当該媒体識別情報の真正性の保証に必要な識別メッセージで指示する媒体リボケーション・リストとが記録されている記録媒体を再生する再生方法であって、
前記媒体識別情報を読み出す媒体識別情報読み出しステップと、
前記媒体リボケーション・リストを読み出す媒体リスト読み出しステップと、
読み出した前記媒体識別情報または当該媒体識別情報の識別メッセージをメモリに蓄積する媒体識別情報蓄積ステップと、
蓄積された前記媒体識別情報または前記識別メッセージが前記媒体リボケーション・リストに含まれているか否かを判定する媒体リスト判定ステップと、
前記媒体リスト判定ステップでリボークすべきと判断された場合には前記記録媒体の再生動作を制限する再生制限ステップとを有する再生方法。
【請求項１４】  前記媒体リボケーション・リストが、バージョン情報を有している請求項１３に記載の再生方法。
【請求項１５】  前記媒体リボケーション・リストが、再生動作を制限する機器とネットワークを介して接続した著作権管理サーバから更新される、媒体リスト更新ステップを有する請求項１４に記載の再生方法。
【請求項１６】  前記記録媒体に不正な機器をリボークするためのデバイス・リボケーション・リストが記録されているとともに、
当該デバイス・リボケーション・リストを読み出すデバイスリスト読み出しステップと、
読み出した当該デバイス・リボケーション・リストを蓄積するデバイスリスト蓄積ステップと、
再生している機器が蓄積した当該デバイス・リボケーション・リストに含まれているか否かを判定するデバイスリスト判定ステップとを有し、
前記デバイスリスト判定ステップでリボークすべきと判断された場合には前記記録媒体の再生動作を制限する再生制限ステップとを有する請求項１３に記載の再生方法。
【請求項１７】  前記デバイス・リボケーション・リストが、再生動作を制限する機器とネットワークを介して接続した著作権管理サーバから更新されるデバイスリスト更新ステップを有する請求項１６に記載の再生方法。
【請求項１８】  ビデオコンテンツのデータが記録され、一連の記録媒体毎に各記録媒体を一意に識別する媒体識別情報が記録されている記録媒体を再生する再生方法であって、
前記媒体識別情報を読み出す媒体識別情報読み出しステップと、
読み出した前記媒体識別情報または当該媒体識別情報の識別メッセージをメモリに蓄積する媒体識別情報蓄積部と、
著作権管理サーバとネットワークを介して接続し、当該著作権管理サーバからリボークすべき記録媒体を前記媒体識別情報または当該媒体識別情報の真正性の保証に必要な識別メッセージで指示する媒体リボケーション・リストを受信し、蓄積した前記媒体識別情報または当該媒体識別情報の識別メッセージが前記媒体リボケーション・リストに含まれているか否かを判定する媒体リスト判定ステップとを有し、
前記判定ステップでリボークすべきと判断された場合には前記記録媒体の再生動作を制限する再生制限ステップとを有する再生方法。
【請求項１９】  前記媒体リボケーション・リストが、バージョン情報を有している請求項１８に記載の再生方法。
【請求項２０】  前記媒体リボケーション・リストが、前記著作権管理サーバから更新される媒体リスト更新ステップを有する請求項１９に記載の再生方法。
【請求項２１】  前記記録媒体に不正な機器をリボークするためのデバイス・リボケーション・リストが記録されているとともに、
当該デバイス・リボケーション・リストを読み出すデバイスリスト読み出しステップと、
再生している機器が読み出した当該デバイス・リボケーション・リストに含まれているか否かを判定するデバイスリスト判定ステップとを有し、
前記デバイスリスト判定ステップでリボークすべきと判断された場合には前記記録媒体の再生動作を制限する再生制限ステップとを有する請求項１８に記載の再生方法。
【請求項２２】  前記デバイス・リボケーション・リストが、前記著作権管理サーバから更新されるデバイスリスト更新ステップを有する請求項２１に記載の再生方法。
【請求項２３】  ビデオコンテンツのデータが記録されている記録媒体を再生する再生装置であって、
一連の記録媒体毎に各記録媒体を一意に識別する媒体識別情報と、リボークすべき記録媒体を、少なくとも前記媒体識別情報または当該媒体識別情報の真正性の保証に必要な識別メッセージで指示する媒体リボケーション・リストとを読み出す読み出し部と、
読み出した前記媒体識別情報または当該媒体識別情報の識別メッセージを蓄積する媒体識別情報蓄積部と、
蓄積された前記媒体識別情報または前記識別メッセージが前記媒体リボケーション・リストに含まれているか否かを判定する判定部と、
前記判定部でリボークすべきと判断された場合には前記記録媒体の再生動作を制限する制御部とを有する再生装置。
【請求項２４】  前記媒体リボケーション・リストが、バージョン情報を有している請求項２３に記載の再生装置。
【請求項２５】  前記媒体リボケーション・リストが、再生動作を制限する機器とネットワークを介して接続した著作権管理サーバから更新される請求項２４に記載の再生装置。
【請求項２６】  前記記録媒体に不正な機器をリボークするためのデバイス・リボケーション・リストが記録されているとともに、
当該デバイス・リボケーション・リストを読み出すデバイスリスト読み出し部と、
読み出した当該デバイス・リボケーション・リストを蓄積するデバイスリスト蓄積部と、
再生している機器が蓄積した当該デバイス・リボケーション・リストに含まれているか否かを判定するデバイスリスト判定部と、
前記デバイスリスト判定部でリボークすべきと判断された場合には前記記録媒体の再生動作を制限する制御部とを有する請求項２３に記載の再生装置。
【請求項２７】  前記デバイス・リボケーション・リストが、再生動作を制限する機器とネットワークを介して接続した著作権管理サーバから更新される請求項２６に記載の再生装置。
【請求項２８】  ビデオコンテンツのデータが記録されている記録媒体を再生する再生装置であって、
一連の記録媒体毎に各記録媒体を一意に識別する媒体識別情報を読み出す読み出し部と、
読み出した前記媒体識別情報または当該媒体識別情報の識別メッセージを蓄積する媒体識別情報蓄積部と、
著作権管理サーバからリボークすべき記録媒体を前記媒体識別情報または当該媒体識別情報の真正性の保証に必要な識別メッセージで指示する媒体リボケーション・リストを受信する媒体リスト受信部と、
前記蓄積した媒体識別情報または識別メッセージが前記受信した媒体リボケーション・リストに含まれているか否かを判定する媒体リスト判定部と、
前記媒体リスト判定部でリボークすべきと判断された場合には前記記録媒体の再生動作を制限する制御部とを有する再生装置。
【請求項２９】  前記媒体リボケーション・リストが、バージョン情報を有している請求項２８に記載の再生装置。
【請求項３０】  前記受信した媒体リボケーション・リストが蓄積される媒体リスト蓄積部と、
前記著作権管理サーバが有する媒体リボケーション・リストのバージョン情報より前記蓄積された媒体リボケーション・リストのバージョン情報が新しい場合に、前記蓄積された媒体リボケーション・リストが前記著作権管理サーバの媒体リボケーション・リストにより更新される請求項２９に記載の再生装置。
【請求項３１】  前記記録媒体に不正な機器をリボークするためのデバイス・リボケーション・リストが記録されているとともに、
前記読み出し部が、当該デバイス・リボケーション・リストを読み出し、
再生している機器の情報が読み出した当該デバイス・リボケーション・リストに含まれているか否かを判定するデバイスリスト判定部と、
前記デバイスリスト判定部でリボークすべきと判断された場合には前記記録媒体の再生動作を制限する制御部を有する請求項２８に記載の再生装置。
【請求項３２】  前記デバイス・リボケーション・リストが、前記著作権管理サーバから更新される請求項３１に記載の再生装置。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
請求項１の発明は、ビデオコンテンツのデータが記録されている記録媒体であって、一連の記録媒体毎に各記録媒体を一意に識別する媒体識別情報と、リボークすべき記録媒体を、少なくとも媒体識別情報または媒体識別情報の真正性の保証に必要な識別メッセージで指示する媒体リボケーション・リストとが記録されている記録媒体である。
【手続補正７】
【補正対象書類名】明細書
【補正対象項目名】００２０
【補正方法】変更
【補正の内容】
【００２０】
請求項７の発明は、ビデオコンテンツのデータが記録された記録媒体が製造される記録媒体製造方法であって、ビデオコンテンツのデータを編集する編集ステップと、リボークすべき記録媒体を、少なくとも一連の記録媒体毎に各記録媒体を一意に識別する媒体識別情報または媒体識別情報の真正性の保証に必要な識別メッセージで指示する媒体リボケーション・リストを記録する媒体リスト記録ステップと、各媒体毎の媒体識別情報がビデオコンテンツのデータが記録された領域の記録方法と異なる方法で記録する識別情報記録ステップとを有する記録媒体製造方法である。
【手続補正８】
【補正対象書類名】明細書
【補正対象項目名】００２１
【補正方法】変更
【補正の内容】
【００２１】
請求項１３の発明は、ビデオコンテンツのデータが記録され、一連の記録媒体毎に各記録媒体を一意に識別する媒体識別情報と、リボークすべき記録媒体を、少なくとも媒体識別情報または媒体識別情報の真正性の保証に必要な識別メッセージで指示する媒体リボケーション・リストとが記録されている記録媒体を再生する再生方法であって、媒体識別情報を読み出す媒体識別情報読み出しステップと、媒体リボケーション・リストを読み出す媒体リスト読み出しステップと、読み出した媒体識別情報または媒体識別情報の識別メッセージをメモリに蓄積する媒体識別情報蓄積ステップと、蓄積された媒体識別情報または識別メッセージが媒体リボケーション・リストに含まれているか否かを判定する媒体リスト判定ステップと、媒体リスト判定ステップでリボークすべきと判断された場合には記録媒体の再生動作を制限する再生制限ステップとを有する再生方法である。
【手続補正９】
【補正対象書類名】明細書
【補正対象項目名】００２２
【補正方法】変更
【補正の内容】
【００２２】
請求項１８の発明は、ビデオコンテンツのデータが記録され、一連の記録媒体毎に各記録媒体を一意に識別する媒体識別情報が記録されている記録媒体を再生する再生方法であって、媒体識別情報を読み出す媒体識別情報読み出しステップと、読み出した媒体識別情報または媒体識別情報の識別メッセージをメモリに蓄積する媒体識別情報蓄積部と、著作権管理サーバとネットワークを介して接続し、著作権管理サーバからリボークすべき記録媒体を前記媒体識別情報または媒体識別情報の真正性の保証に必要な識別メッセージで指示する媒体リボケーション・リストを受信し、蓄積した媒体識別情報または媒体識別情報の識別メッセージが媒体リボケーション・リストに含まれているか否かを判定する媒体リスト判定ステップとを有し、判定ステップでリボークすべきと判断された場合には記録媒体の再生動作を制限する再生制限ステップとを有する再生方法である。
【手続補正１０】
【補正対象書類名】明細書
【補正対象項目名】００２３
【補正方法】変更
【補正の内容】
【００２３】
請求項２３の発明は、ビデオコンテンツのデータが記録されている記録媒体を再生する再生装置であって、一連の記録媒体毎に各記録媒体を一意に識別する媒体識別情報と、リボークすべき記録媒体を、少なくとも媒体識別情報または媒体識別情報の真正性の保証に必要な識別メッセージで指示する媒体リボケーション・リストとを読み出す読み出し部と、読み出した媒体識別情報または媒体識別情報の識別メッセージを蓄積する媒体識別情報蓄積部と、蓄積された媒体識別情報または識別メッセージが媒体リボケーション・リストに含まれているか否かを判定する判定部と、判定部でリボークすべきと判断された場合には記録媒体の再生動作を制限する制御部とを有する再生装置である。
【手続補正１１】
【補正対象書類名】明細書
【補正対象項目名】００２４
【補正方法】変更
【補正の内容】
【００２４】
請求項２８の発明は、ビデオコンテンツのデータが記録されている記録媒体を再生する再生装置であって、一連の記録媒体毎に各記録媒体を一意に識別する媒体識別情報を読み出す読み出し部と、読み出した媒体識別情報または媒体識別情報の識別メッセージを蓄積する媒体識別情報蓄積部と、著作権管理サーバからリボークすべき記録媒体を媒体識別情報または媒体識別情報の真正性の保証に必要な識別メッセージで指示する媒体リボケーション・リストを受信する媒体リスト受信部と、蓄積した媒体識別情報または識別メッセージが受信した媒体リボケーション・リストに含まれているか否かを判定する媒体リスト判定部と、媒体リスト判定部でリボークすべきと判断された場合には記録媒体の再生動作を制限する制御部とを有する再生装置である。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】